(57)【要約】【課題】ＰＣ等の端末を用いずにＶｏＩＰ装置の内部情報を表示することの出来るＶｏＩＰ装置を提供する。【解決手段】ＶｏＩＰ装置は、通信端末から送出されるダイヤル信号を受信して、ダイヤル番号を取得する。取得したダイヤル番号が、所定の内部情報要求番号と一致するかどうかを判断して、番号が一致すると判断した場合に、自身の内部情報を表す内部情報信号を通信端末へ送出する。【選択図】図３
2008258771.tif 000002
【特許請求の範囲】
【請求項１】
通信端末から送出される音声信号をＩＰパケットに変換して、前記ＩＰパケットをＩＰネットワークに送出すると共に、前記ＩＰネットワークからＩＰパケットを受信して、受信したＩＰパケットを音声信号に変換して前記通信端末へ送出するＶｏＩＰ装置であって、
前記通信端末から送出されるダイヤル信号を受信して、ダイヤル番号を取得するダイヤル番号取得手段と、
前記ダイヤル番号取得手段が取得したダイヤル番号が、所定の内部情報要求番号と一致するかどうかを判断する番号判断手段と、
前記番号判断手段が一致すると判断した場合に、自身の内部情報を表す内部情報信号を前記通信端末へ送出する内部情報送出手段と、を有することを特徴とするＶｏＩＰ装置。
【請求項２】
前記内部情報送出手段は、前記内部情報信号をモデム信号の形態にて送出することを特徴とする請求項１記載のＶｏＩＰ装置。
【請求項３】
前記内部情報送出手段は、前記内部情報信号をファクシミリ信号の形態にて送出することを特徴とする請求項１記載のＶｏＩＰ装置。
【発明の詳細な説明】
【技術分野】
【０００１】
本発明は、通信端末から送出される音声信号をＩＰパケットに変換して、変換したＩＰパケットをＩＰネットワークに送出すると共に、ＩＰネットワークからＩＰパケットを受信して、受信したＩＰパケットを音声信号に変換して通信端末へ送出するＶｏＩＰ装置に関する。
【背景技術】
【０００２】
近年、ＶｏＩＰ（Ｖｏｉｃｅ  ｏｖｅｒ  Ｉｎｔｅｒｎｅｔ  Ｐｒｏｔｏｃｏｌ）技術を利用したＩＰ電話サービスが普及している。このＩＰ電話サービスを利用する形態として、従来から使用されている一般電話端末を、ＶｏＩＰ装置を介してＩＰネットワークと接続するものがある。ＶｏＩＰ装置は、一般電話端末で送受信される音声信号と、ＩＰネットワークを流れるＩＰパケットとの変換を行うものである。このＶｏＩＰ装置を用いることにより、一般電話端末を使用してＩＰ電話サービスを受けることが可能になる。
【０００３】
ＶｏＩＰ装置は、装置内部で動作するソフトウェアのバージョン番号等の内部情報を表示することが要求される。内部情報を表示するために、パーソナルコンピュータ（以下、ＰＣという）上で動作するブラウザを利用することが行われている。ブラウザとは、インターネット等のネットワークから情報を取得して表示するソフトウェアである。ＶｏＩＰ装置とＰＣをＬＡＮケーブル等で接続して、ＰＣ上のブラウザからＶｏＩＰ装置にアクセスして、ＶｏＩＰ装置の内部情報を表示する（例えば、非特許文献１参照）。
【０００４】
ブラウザを利用して装置の内部情報を表示するシステムとしては、特許文献１に記載のシステムもある。このシステムでは、取得した内部情報から所定の構造を持つ表示用データを生成して、その表示用データを基に装置の内部情報の表示を行う。また、装置と接続されたＰＣから、コマンドを入力して、入力したコマンドに対応する装置の内部情報を表示するものもある（例えば、特許文献２参照）。
【非特許文献１】"アダプタの設定"、[Ｏｎｌｉｎｅ]、ニフティ株式会社、[平成１９年２月２０日検索]、インターネット＜ＵＲＬ：ｈｔｔｐ：／／ｓｕｐｐｏｒｔ．ｎｉｆｔｙ．ｃｏｍ／ｓｕｐｐｏｒｔ／ｍａｎｕａｌ／ｃｏｎｎｅｃｔ＿ｓｅｔ／ｐｒｅｍｉｕｍ／ｓｕｐｐｏｒｔ＿ｓｅｔｕｐ＿ｉｐｐｈｏｎｅ＿ｓｅｔ．ｈｔｍ＞
【特許文献１】特開２００５−１１５８２７号公報
【特許文献２】特開２００１−２２３７９７号公報
【発明の開示】
【発明が解決しようとする課題】
【０００５】
上記した如く装置においては、ＶｏＩＰ装置の内部情報を表示するためにＰＣ等の端末を用いている。そして、ＰＣからＶｏＩＰ装置にアクセスして、ＶｏＩＰ装置の内部情報を取得して表示している。それ故、ＶｏＩＰ装置の内部情報を表示するためには、ＶｏＩＰ装置の内部情報の取得及び表示を行うためのＰＣ等の端末が必要とされる。
【０００６】
本発明は上記した点に鑑みてなされたものであり、ＰＣ等の端末を用いずにＶｏＩＰ装置の内部情報を表示することの出来るＶｏＩＰ装置を提供することを目的とする。
【課題を解決するための手段】
【０００７】
本発明のＶｏＩＰ装置は、通信端末から送出される音声信号をＩＰパケットに変換して、ＩＰパケットをＩＰネットワークに送出すると共に、ＩＰネットワークからＩＰパケットを受信して、受信したＩＰパケットを音声信号に変換して通信端末へ送出するＶｏＩＰ装置であって、通信端末から送出されるダイヤル信号を受信して、ダイヤル番号を取得するダイヤル番号取得手段と、ダイヤル番号取得手段が取得したダイヤル番号が、所定の内部情報要求番号と一致するかどうかを判断する番号判断手段と、番号判断手段が一致すると判断した場合に、自身の内部情報を表す内部情報信号を通信端末へ送出する内部情報送出手段と、を有することを特徴とする。
【発明を実施するための最良の形態】
【０００８】
以下、本発明の実施例について図面を参照しつつ詳細に説明する。
【０００９】
図１は、本発明に係るＶｏＩＰ装置の第１の実施例を示している。ＶｏＩＰ装置１は、ナンバー・ディスプレイ電話端末２から送出される音声信号をＩＰパケットに変換して、変換したＩＰパケットをＩＰネットワーク３に送出する。また、ＶｏＩＰ装置１は、ＩＰネットワーク３からＩＰパケットを受信して、受信したＩＰパケットを音声信号に変換してナンバー・ディスプレイ電話端末２へ送出する。ＶｏＩＰ処理部１１は、音声信号とＩＰパケットとの変換を行う。ダイヤル番号取得手段１２は、ナンバー・ディスプレイ電話端末２から送出されるダイヤル信号を受信して、ダイヤル番号を取得する。番号判断手段１３は、ダイヤル番号取得手段１２が取得したダイヤル番号が、所定の内部情報要求番号と一致するかどうかを判断する。内部情報送出手段１４は、番号判断手段１３が一致すると判断した場合に、ＶｏＩＰ装置１の内部情報を表す内部情報信号をモデム信号の形態にてナンバー・ディスプレイ電話端末２に向けて送出する。記憶部１５には、内部情報要求番号１６やＶｏＩＰ装置１の内部情報１７等が記憶されている。
【００１０】
ナンバー・ディスプレイ電話端末２は、ナンバー・ディスプレイサービスに対応しており、ナンバー・ディスプレイサービスにより通知される発信電話番号をディスプレイに表示することが出来る。
【００１１】
図２に、記憶部１５に記憶されているＶｏＩＰ装置１の内部情報１７の例を示す。内部情報１７は、ＶｏＩＰ装置１で動作するソフトウェアのバージョン番号を表すソフトウェアバージョン、ＶｏＩＰ装置１のＩＤ番号を表すＩＤ、ＶｏＩＰ装置１のＩＰアドレス、ＩＰアドレスからネットワークアドレスを計算する際に使用する数値であるサブネットマスク、ＩＰアドレス等の情報を割り当てるＤＨＣＰサーバのＩＰアドレス、ＤＨＣＰサーバが割り当てるＩＰアドレスの始めの値、ＤＨＣＰサーバが割り当てるＩＰアドレスの終りの値等からなる。
【００１２】
図３に、ナンバー・ディスプレイ電話端末２に、ＶｏＩＰ装置１の内部情報１７を表示するときの動作を示す。
【００１３】
ナンバー・ディスプレイ電話端末２の利用者が、オフフックの操作を行ったとする。ナンバー・ディスプレイ電話端末２は、オフフックの操作があると、発呼信号をＶｏＩＰ装置１に向けて送出する（ステップＳ３０１）。ＶｏＩＰ装置１は、ナンバー・ディスプレイ電話端末２からの発呼信号を受信すると、発信音をナンバー・ディスプレイ電話端末２に向けて送出する（ステップＳ３０２）。ここで、ナンバー・ディスプレイ電話端末２の利用者が、内部情報要求番号、例えば、「＊＊９９＃＃」をダイヤルしたとする。ナンバー・ディスプレイ電話端末２は、利用者がダイヤルした番号をダイヤル信号としてＶｏＩＰ装置１に向けて送出する（ステップＳ３０３）。ＶｏＩＰ装置１は、ナンバー・ディスプレイ電話端末２からのダイヤル信号を受信すると、受信したダイヤル信号からダイヤル番号を取得する。そして、取得したダイヤル番号が、記憶部１５に記憶されている内部情報要求番号１６、例えば、「＊＊９９＃＃」と一致するかどうかを判断する。ここでは、取得したダイヤル番号が、内部情報要求番号１６と一致すると判断されたとする。この場合、ＶｏＩＰ装置１は、ナンバー・ディスプレイ電話端末２からの切断信号を受信するまで待機する切断待機状態となる（ステップＳ３０４）。ＶｏＩＰ装置１は、切断待機状態であるときに、外線からの着信を受けると、話中音を返す。
【００１４】
ここで、ナンバー・ディスプレイ電話端末２の利用者が、オンフックの操作を行ったとする。ナンバー・ディスプレイ電話端末２は、オンフックの操作があると、切断信号をＶｏＩＰ装置１に向けて送出する（ステップＳ３０５）。ＶｏＩＰ装置１は、ナンバー・ディスプレイ電話端末２からの切断信号を受信すると、Ｌ１、Ｌ２の極性を反転する（ステップＳ３０６）。Ｌ１、Ｌ２の極性を反転した後、ＶｏＩＰ装置１は、情報受信端末起動信号（ＣＡＲ）をナンバー・ディスプレイ電話端末２に向けて送出する（ステップＳ３０７）。ナンバー・ディスプレイ電話端末２は、ＶｏＩＰ装置１からの情報受信端末起動信号（ＣＡＲ）を受信すると、一次応答信号（直流ループ）を送出する（ステップＳ３０８）。ＶｏＩＰ装置１は、ナンバー・ディスプレイ電話端末２からの一次応答信号（直流ループ）を受信すると、ナンバー・ディスプレイサービスにおいて通知される発信電話番号にＶｏＩＰ装置１の内部情報１７を設定して、これをモデム信号としてナンバー・ディスプレイ電話端末２に向けて送出する（ステップＳ３０９）。ここでは、ＶｏＩＰ装置１の内部情報１７の内、ソフトウェアバージョン「１００」とＶｏＩＰ装置１のＩＤ「１２３４５」が発信電話番号に設定されて、モデム信号として送出されたとする。
【００１５】
ナンバー・ディスプレイ電話端末２は、ＶｏＩＰ装置１から送出されるモデム信号の受信が完了すると、受信完了信号（直流ループ断）をＶｏＩＰ装置１に向けて送出する（ステップＳ３１０）。それと共に、ナンバー・ディスプレイ電話端末２は、ナンバー・ディスプレイサービスの発信電話番号に設定されているＶｏＩＰ装置１の内部情報１７を表示する（ステップＳ３１１）。このとき、ナンバー・ディスプレイ電話端末２のディスプレイに表示される内部情報１７の例を図４に示す。ナンバー・ディスプレイ電話端末２のディスプレイには、ソフトウェアバージョンを表す「１００」と、ＶｏＩＰ装置１のＩＤを表す「１２３４５」が表示されている。
【００１６】
ＶｏＩＰ装置１は、ナンバー・ディスプレイ電話端末２からの受信完了信号（直流ループ断）を受信した後、終話信号をナンバー・ディスプレイ電話端末２に向けて送出して回線を切断する（ステップＳ３１２）。
【００１７】
図５に、ＶｏＩＰ装置１のコントローラ（図示せず）で実行される内部情報要求番号受信ルーチンの動作を示す。内部情報要求番号受信ルーチンは、ナンバー・ディスプレイ電話端末２からのダイヤル信号を受信した場合に実行される。
【００１８】
コントローラは、受信したダイヤル信号からダイヤル番号を取得するように、ダイヤル番号取得手段１２に向けて指令を出す（ステップＳ５０１）。ダイヤル番号取得手段１２は、コントローラからの指令を受けると、ダイヤル信号からダイヤル番号を取得する。コントローラは、ダイヤル番号を取得するように指令を出した後、取得したダイヤル番号が、内部情報要求番号１６と一致するかどうかを判断するように、番号判断手段１３に向けて指令を出す（ステップＳ５０２）。番号判断手段１３は、コントローラからの指令を受けると、記憶部１５から内部情報要求番号１６を読み出し、ダイヤル番号取得手段１２が取得したダイヤル番号と内部情報要求番号１６が一致するかどうかの判断を行う。
【００１９】
そして、コントローラは、番号判断手段１３が行った判断の結果を確認する（ステップＳ５０３）。ダイヤル番号取得手段１２が取得したダイヤル番号と内部情報要求番号１６が一致しないと番号判断手段１３が判断した場合、コントローラは、処理を終了する。番号が一致すると番号判断手段１３が判断した場合、コントローラは、切断待機状態になるように、ＶｏＩＰ処理部１１に向けて指令を出す（ステップＳ５０４）。ＶｏＩＰ処理部１１は、コントローラからの指令を受けると、切断待機状態になる。ＶｏＩＰ処理部１１は、切断待機状態であるときに、外線からの着信を受けると、話中音を返す。
【００２０】
図６に、ＶｏＩＰ処理部１１が切断待機状態であるときに、ＶｏＩＰ装置１のコントローラ（図示せず）で実行される内部情報送出ルーチンの動作を示す。内部情報送出ルーチンは、ＶｏＩＰ処理部１１が切断待機状態であるときに、割り込みにより周期的に実行される。
【００２１】
コントローラは、ナンバー・ディスプレイ電話端末２からの切断信号を受信したかどうかを確認する（ステップＳ６０１）。切断信号を受信した場合、コントローラは、ナンバー・ディスプレイ電話端末２に向けて内部情報を送出するように、内部情報送出手段１４へ指令を出す（ステップＳ６０２）。内部情報送出手段１４は、コントローラからの指令を受けると、ナンバー・ディスプレイサービスにおいて通知される発信電話番号にＶｏＩＰ装置１の内部情報１７を設定して、これをモデム信号としてナンバー・ディスプレイ電話端末２に向けて送出する。
【００２２】
一方、ナンバー・ディスプレイ電話端末２からの切断信号が受信されない場合、コントローラは、ＶｏＩＰ処理部１１が切断待機状態になってから所定の時間、例えば、５秒が経過したかどうかを確認する（ステップＳ６０３）。所定の時間が経過していない場合は、処理を終了する。所定の時間が経過した場合、コントローラは、ナンバー・ディスプレイ電話端末２に向けてハウラ音を送出する（ステップＳ６０４）。尚、このときハウラ音の代わりにトーンやガイダンスをナンバー・ディスプレイ電話端末２に向けて送出するようにしてもよい。
【００２３】
このように第１の実施例では、ナンバー・ディスプレイ電話端末２から送出されたダイヤル番号が内部情報要求番号１６と一致する場合に、ＶｏＩＰ装置１の内部情報１７を表す内部情報信号をモデム信号の形態にてナンバー・ディスプレイ電話端末２に向けて送出している。そして、ナンバー・ディスプレイ電話端末２は、ＶｏＩＰ装置１からモデム信号の形態にて送出された内部情報信号によって表される内部情報１７を表示している。それ故、ＰＣ等の端末を用いずにＶｏＩＰ装置１の内部情報１７を表示することが出来る。また、切断待機状態になってから所定の時間が経過した場合に、ナンバー・ディスプレイ電話端末２に向けてハウラ音を送出しているので、ナンバー・ディスプレイ電話端末２の利用者にオンフックの操作を促すことが出来る。
【００２４】
以下で、本発明の第２の実施例について説明する。
【００２５】
図７は、本発明に係るＶｏＩＰ装置の第２の実施例を示している。ＶｏＩＰ装置１は、ファクシミリ端末４から送出されるファクシミリ信号をＩＰパケットに変換して、変換したＩＰパケットをＩＰネットワーク３に送出する。また、ＶｏＩＰ装置１は、ＩＰネットワーク３からＩＰパケットを受信して、受信したＩＰパケットをファクシミリ信号に変換してファクシミリ端末４へ送出する。ＶｏＩＰ処理部１１は、ファクシミリ信号とＩＰパケットとの変換を行う。ダイヤル番号取得手段１２は、ファクシミリ端末４から送出されるダイヤル信号を受信して、ダイヤル番号を取得する。番号判断手段１３は、ダイヤル番号取得手段１２が取得したダイヤル番号が、所定の内部情報要求番号と一致するかどうかを判断する。内部情報送出手段１８は、番号判断手段１３が一致すると判断した場合に、ＶｏＩＰ装置１の内部情報を表す内部情報信号をファクシミリ信号の形態にてファクシミリ端末４に向けて送出する。記憶部１５には、内部情報要求番号１６やＶｏＩＰ装置１の内部情報１７等が記憶されている。
【００２６】
図２に、記憶部１５に記憶されているＶｏＩＰ装置１の内部情報１７の例を示す。これは、第１の実施例の内部情報１７と同じものである。
【００２７】
図８に、ＶｏＩＰ装置１の内部情報１７をファクシミリ端末４から出力するときの動作を示す。
【００２８】
ファクシミリ端末４の利用者が、オフフックの操作を行ったとする。ファクシミリ端末４は、オフフックの操作があると、発呼信号をＶｏＩＰ装置１に向けて送出する（ステップＳ８０１）。ＶｏＩＰ装置１は、ファクシミリ端末４からの発呼信号を受信すると、発信音をファクシミリ端末４に向けて送出する（ステップＳ８０２）。ここで、ファクシミリ端末４の利用者が、内部情報要求番号、例えば、「＊＊９９＃＃」をダイヤルしたとする。ファクシミリ端末４は、利用者がダイヤルした番号をダイヤル信号としてＶｏＩＰ装置１に向けて送出する（ステップＳ８０３）。ＶｏＩＰ装置１は、ファクシミリ端末４からのダイヤル信号を受信すると、受信したダイヤル信号からダイヤル番号を取得する。そして、取得したダイヤル番号が、記憶部１５に記憶されている内部情報要求番号１６、例えば、「＊＊９９＃＃」と一致するかどうかを判断する。ここでは、取得したダイヤル番号が、内部情報要求番号１６と一致すると判断されたとする。この場合、ＶｏＩＰ装置１は、ファクシミリ端末４からの切断信号を受信するまで待機する切断待機状態となる（ステップＳ８０４）。ＶｏＩＰ装置１は、切断待機状態であるときに、外線からの着信を受けると、話中音を返す。
【００２９】
ここで、ファクシミリ端末４の利用者が、オンフックの操作を行ったとする。ファクシミリ端末４は、オンフックの操作があると、切断信号をＶｏＩＰ装置１に向けて送出する（ステップＳ８０５）。ＶｏＩＰ装置１は、ファクシミリ端末４からの切断信号を受信すると、呼び出し信号（ＩＲ）をファクシミリ端末４に向けて送出する（ステップＳ８０６）。ファクシミリ端末４は、ＶｏＩＰ装置１からの呼び出し信号（ＩＲ）を受信すると、応答信号をＶｏＩＰ装置１に向けて送出する（ステップＳ８０７）。ＶｏＩＰ装置１は、ファクシミリ端末４からの応答信号を受信すると、発呼トーンであるＣＮＧ（１１００Ｈｚ）をファクシミリ端末４に向けて送出する（ステップＳ８０８）。ファクシミリ端末４は、ＣＮＧ（１１００Ｈｚ）を受信すると、被呼局確認信号であるＣＥＤ（２１００Ｈｚ）をＶｏＩＰ装置１に向けて送出する（ステップＳ８０９）。ＶｏＩＰ装置１は、ファクシミリ端末４からのＣＥＤ（２１００Ｈｚ）を受信すると、ＶｏＩＰ装置１の内部情報１７を表すファクシミリ信号をファクシミリ端末４に向けて送出する（ステップＳ８１０）。
【００３０】
ファクシミリ端末４は、ＶｏＩＰ装置１から送出されるファクシミリ信号を受信すると、受信したファクシミリ信号によって表されるＶｏＩＰ装置１の内部情報１７を紙に出力する（ステップＳ８１１）。このとき出力されるＶｏＩＰ装置１の内部情報１７の例を図９に示す。
【００３１】
ＶｏＩＰ装置１は、ファクシミリ信号の送出を完了すると、切断命令信号であるＤＣＮをファクシミリ端末４に向けて送出する（ステップＳ８１２）。ＤＣＮを送出した後、ＶｏＩＰ装置１は、切断信号をファクシミリ端末４に向けて送出して、回線を切断する（ステップＳ８１３）。
【００３２】
図１０に、ＶｏＩＰ装置１のコントローラ（図示せず）で実行される内部情報要求番号受信ルーチンの動作を示す。内部情報要求番号受信ルーチンは、ファクシミリ端末４からのダイヤル信号を受信した場合に実行される。
【００３３】
コントローラは、受信したダイヤル信号からダイヤル番号を取得するように、ダイヤル番号取得手段１２に向けて指令を出す（ステップＳ１００１）。ダイヤル番号取得手段１２は、コントローラからの指令を受けると、ダイヤル信号からダイヤル番号を取得する。コントローラは、ダイヤル番号を取得するように指令を出した後、取得したダイヤル番号が、内部情報要求番号１６と一致するかどうかを判断するように、番号判断手段１３に向けて指令を出す（ステップＳ１００２）。番号判断手段１３は、コントローラからの指令を受けると、記憶部１５から内部情報要求番号１６を読み出し、ダイヤル番号取得手段１２が取得したダイヤル番号と内部情報要求番号１６が一致するかどうかの判断を行う。
【００３４】
そして、コントローラは、番号判断手段１３が行った判断の結果を確認する（ステップＳ１００３）。ダイヤル番号取得手段１２が取得したダイヤル番号と内部情報要求番号１６が一致しないと番号判断手段１３が判断した場合、コントローラは、処理を終了する。番号が一致すると番号判断手段１３が判断した場合、コントローラは、切断待機状態になるように、ＶｏＩＰ処理部１１に向けて指令を出す（ステップＳ１００４）。ＶｏＩＰ処理部１１は、コントローラからの指令を受けると、切断待機状態になる。ＶｏＩＰ処理部１１は、切断待機状態であるときに、外線からの着信を受けると、話中音を返す。
【００３５】
図１１に、ＶｏＩＰ処理部１１が切断待機状態であるときに、ＶｏＩＰ装置１のコントローラ（図示せず）で実行される内部情報送出ルーチンの動作を示す。内部情報送出ルーチンは、ＶｏＩＰ処理部１１が切断待機状態であるときに、割り込みにより周期的に実行される。
【００３６】
コントローラは、ファクシミリ端末４からの切断信号を受信したかどうかを確認する（ステップＳ１１０１）。切断信号を受信した場合、コントローラは、ファクシミリ端末４に向けて内部情報を送出するように、内部情報送出手段１８へ指令を出す（ステップＳ１１０２）。内部情報送出手段１８は、コントローラからの指令を受けると、ＶｏＩＰ装置１の内部情報１７を表すファクシミリ信号をファクシミリ端末４に向けて送出する。
【００３７】
一方、ファクシミリ端末４からの切断信号が受信されない場合、コントローラは、ＶｏＩＰ処理部１１が切断待機状態になってから所定の時間、例えば、５秒が経過したかどうかを確認する（ステップＳ１１０３）。所定の時間が経過していない場合は、処理を終了する。所定の時間が経過した場合、コントローラは、ファクシミリ端末４に向けてハウラ音を送出する（ステップＳ１１０４）。尚、このときハウラ音の代わりにトーンやガイダンスをファクシミリ端末４に向けて送出するようにしてもよい。
【００３８】
ＶｏＩＰ装置１から内部情報１７を表すファクシミリ信号を送出する際に、ＶｏＩＰ装置１に接続する通信端末がファクシミリ受信機能を有していることを確認する方法としては、通信端末をＶｏＩＰ装置１に接続するときにＶｏＩＰ装置１に自動認識させる方法や特定のダイヤル番号を受信した場合にファクシミリ受信機能を有すると判断する方法等がある。
【００３９】
ＶｏＩＰ装置１に自動認識させる方法では、ＶｏＩＰ装置１に接続した通信端末に向けて発呼トーンであるＣＮＧ（１１００Ｈｚ）を送出して、通信端末からのＣＥＤ（２１００Ｈｚ）を受信した場合に、その通信端末がファクシミリ受信機能を有していると判断する。
【００４０】
特定のダイヤル番号を受信した場合にファクシミリ受信機能を有すると判断する方法では、内部情報１７を表すファクシミリ信号を送出するための内部情報要求番号と、モデム信号を送出するための内部情報要求番号を別の番号に設定して記憶する。通信端末から内部情報１７を表すファクシミリ信号の送出を要求する内部情報要求番号がダイヤルされた場合は、ファクシミリ受信機能を有すると判断して、内部情報１７を表すファクシミリ信号を送出する。通信端末から内部情報１７を表すモデム信号の送出を要求する内部情報要求番号がダイヤルされた場合は、ファクシミリ受信機能を有さないと判断して、内部情報１７を表すモデム信号を送出する。この方法を用いることにより、ＶｏＩＰ装置１に接続する通信端末がファクシミリ受信及びナンバー・ディスプレイサービスに対応している場合、通信端末の利用者の選択により、内部情報１７をディスプレイに表示させるか紙に出力させるかを決定することが出来る。
【００４１】
このように第２の実施例では、ファクシミリ端末４から送出されたダイヤル番号が内部情報要求番号１６と一致する場合に、ＶｏＩＰ装置１の内部情報１７を表す内部情報信号をファクシミリ信号の形態にてファクシミリ端末４に向けて送出している。そして、ファクシミリ端末４は、ＶｏＩＰ装置１からファクシミリ信号の形態にて送出された内部情報信号によって表される内部情報１７を出力している。それ故、ＰＣ等の端末を用いずにＶｏＩＰ装置１の内部情報１７を出力することが出来る。内部情報１７は、ファクシミリ端末４により出力されるので、ナンバー・ディスプレイ電話端末２のディスプレイに内部情報１７を表示する場合に比べて、一度に多くの情報を出力することが出来る。また、切断待機状態になってから所定の時間が経過した場合には、ファクシミリ端末４に向けてハウラ音を送出しているので、ファクシミリ端末４の利用者にオンフックの操作を促すことが出来る。
【００４２】
上記説明したように、本発明のＶｏＩＰ装置は、ＶｏＩＰ装置に接続する通信端末から所定の内部情報要求番号がダイヤルされた場合に、ＶｏＩＰ装置の内部情報を表す内部情報信号を通信端末に向けて送出している。それ故、ＰＣ等の端末を用いずにＶｏＩＰ装置の内部情報を表示することが出来る。
【図面の簡単な説明】
【００４３】
【図１】本発明の第１の実施例であるＶｏＩＰ装置を示すブロック図である。
【図２】図１のＶｏＩＰ装置の内部情報の例を示す図である。
【図３】図１のＶｏＩＰ装置において内部情報を送出する動作を示すシーケンス図である。
【図４】ナンバー・ディスプレイ電話端末の表示内容の例を示す図である。
【図５】図１のＶｏＩＰ装置の内部情報要求番号受信ルーチンの動作を示すフローチャートである。
【図６】図１のＶｏＩＰ装置の内部情報送出ルーチンの動作を示すフローチャートである。
【図７】本発明の第２の実施例であるＶｏＩＰ装置を示すブロック図である。
【図８】図７のＶｏＩＰ装置において内部情報を送出する動作を示すシーケンス図である。
【図９】ファクシミリ端末から出力される内部情報の例を示す図である。
【図１０】図７のＶｏＩＰ装置の内部情報要求番号受信ルーチンの動作を示すフローチャートである。
【図１１】図７のＶｏＩＰ装置の内部情報送出ルーチンの動作を示すフローチャートである。
【符号の説明】
【００４４】
１  ＶｏＩＰ装置
１１  ＶｏＩＰ処理部
１２  ダイヤル番号取得手段
１３  番号判断手段
１４、１８  内部情報送出手段
１６  内部情報要求番号
１７  内部情報
２  ナンバー・ディスプレイ電話端末
４  ファクシミリ端末
【図１】
2008258771.tif 000003
【図２】
2008258771.tif 000004
【図３】
2008258771.tif 000005
【図４】
2008258771.tif 000006
【図５】
2008258771.tif 000007
【図６】
2008258771.tif 000008
【図７】
2008258771.tif 000009
【図８】
2008258771.tif 000010
【図９】
2008258771.tif 000011
【図１０】
2008258771.tif 000012
【図１１】
2008258771.tif 000013